(57)【特許請求の範囲】
【請求項１】
サブ投影装置を調整する調整機能を具備する投影装置であって、
投影機と、
前記投影機の側壁に設置される第一支持ラックと、
前記第一支持ラックに設置される第一運搬台座と、
前記第一支持ラックに設置され、前記第一運搬台座に接続される調整機構と、
前記投影機の側壁に設置される第二支持ラックと、
前記第二支持ラックに枢設される第二運搬台座と、を含み、
前記サブ投影装置は、前記第一運搬台座と前記第二運搬台座に設置され、前記調整機構が調整されて、前記第一支持ラックに対して前記第一運搬台座を移動し、前記第一運搬台座が前記サブ投影装置を駆動して、回転させることを特徴とする調整機能を具備する投影装置。
【請求項２】
前記サブ投影装置はサブ台座を含み、前記第一運搬台座は、台座受溝を有して、前記サブ台座を収容することを特徴とする請求項１に記載の投影装置。
【請求項３】
更に、ほぞを含み、
前記第一運搬台座はほぞ孔を有し、前記ほぞ孔と前記台座受溝は互いに通じていて、前記サブ台座は、前記ほぞが、前記ほぞ孔から前記台座受溝を通過することにより固定されることを特徴とする請求項２に記載の投影装置。
【請求項４】
前記第一支持ラックは保持柱を含み、前記第一運搬台座は、更に、第一保持孔を有し、前記第一保持孔は、前記台座受溝に設置され、前記保持柱は前記第一保持孔を通過し、前記保持柱の断面積は、前記第一保持孔の面積より大きいことを特徴とする請求項２に記載の投影装置。
【請求項５】
更に、前記投影機の側壁に設置される第三支持ラックと、
前記第三支持ラックに、可動で設置される第三運搬台座と、を含み、
前記サブ投影装置は前記第一運搬台座、前記第二運搬台座、及び、前記第三運搬台座に設置されることを特徴とする請求項１に記載の投影装置。
【請求項６】
前記調整機構は、
前記第一運搬台座に設置される調整本体と、
前記調整本体と前記第一運搬台座に接続される調整部品と、を含み、
前記調整部品が調整されて、前記第一支持ラックに対して、前記第一運搬台座を移動することを特徴とする請求項１に記載の投影装置。
【請求項７】
前記調整部品は、調整スクリューと調整ボタンを含み、
前記調整スクリューは前記調整本体を通過し、前記調整ボタンは前記調整スクリューの一端に設置され、前記第一運搬台座は前記調整スクリューのもう一端に設置されることを特徴とする請求項６に記載の投影装置。
【請求項８】
前記第一支持ラックは、
支持柱と、
前記支持柱と前記投影機に接続される接続部品と、
前記支持柱の一端に設置される台座と、を含み、
前記第一運搬台座は、前記支持柱のもう一端に設置されることを特徴とする請求項１に記載の投影装置。
【請求項９】
前記台座は、
前記支持柱に取り付けられるスクリュー本体と、
前記支持柱内に可動設置され、前記スクリュー本体の一端に接続される調整ナットと、
前記スクリュー本体のもう一端に接続される台座本体と、を含み、
前記台座本体が回転して、前記台座本体と前記支持柱間の距離を調整することを特徴とする請求項８に記載の投影装置。
【請求項１０】
前記台座本体は係合溝を有し、前記台座は、更に、前記係合溝に収容され、前記スクリュー本体のもう一端に接続される係合部品を含むことを特徴とする請求項９に記載の投影装置。
【発明の詳細な説明】
【技術分野】
【０００１】
本発明は、投影装置に関するものであって、特に、調整機能を具備する投影装置に関するものである。
【背景技術】
【０００２】
近年、投影機は、例えば、会議、家庭、大型公演等の多くの行事に幅広く用いられている。一般に、会議や家庭で用いられる投影機は、多くが、小型化に発展する趨勢にあり、軽量で、携帯できるという長所を有する。しかし、大型公演における使用では、投影機は、より良いイメージ品質を生成するため、高輝度でなければならず、投影機の重量が重くなる。
【０００３】
一般に、大型公演は、多くが商業活動のためにあるため、投影機から投影されるイメージの品質が非常に重要である。しかし、投影機の重量が非常に重いので、投影機の配置角度を調整するのが難しい。特に、更に輝度を増加するため、通常、少なくとも二個の投影機が互いにスタックされて、同一スクリーン上に、同一イメージを同時に投影する(特許文献１参照)。この場合、少なくとも二個の投影機により投影されたイメージを精確にオーバーラップさせるために、多くの時間と手作業により、投影機の角度を調整しなければならず、時間もコストもかかる。
【先行技術文献】
【特許文献】
【０００４】
【特許文献１】特開２００８−６１１６０号公報
【発明の概要】
【発明が解決しようとする課題】
【０００５】
公知の問題を解決するため、本発明は、調整機能を具備する投影装置を提供することを目的とする。
【解決を解決するための手段】
【０００６】
複数の投影機が、ラック装置（rack device）により、互いにスタックされ、投影機の水平回転角度は、調整機構により調整される。
【０００７】
上述の目的を達成するため、本発明の具体例は、調整機能を具備する投影装置を提供し、投影装置上にスタックされたサブ投影装置を調整する。投影装置は、投影機、第一支持ラック、第一運搬台座、調整機構、第二支持ラック、及び、第二運搬台座を含む。第一支持ラックは、投影機の側壁に設置される。第一運搬台座は、第一支持ラックに設置される。調整機構は、第一支持ラックに設置され、第一運搬台座に接続される。第二支持ラックは、投影機の側壁に設置される。第二運搬台座は、第二支持ラックに枢設し、回転軸を有する。サブ投影装置は、第一運搬台座と第二運搬台座に設置される。調整機構が調整されて、第一支持ラックに対して第一運搬台座を移動する。第一運搬台座はサブ投影装置を駆動して、回転軸の周りに回転させる。
【０００８】
結論として、本発明の投影装置の水平回転角度と投影方向は、調整部品を調整することにより、容易、且つ、精確に調整できる。複数の投影機は、本発明の投影装置のラック装置により、互いにスタックされる。投影機の投影方向は、支持ラック、運搬台座、及び、調整機構により調整される。ユーザーは、まず、下方の投影機を調整し、その後、ユーザーは、調整機構を調整することにより、下方の投影機にスタックされた投影機を連続して調整することができる。
【発明の効果】
【０００９】
本発明の投影機は、容易、便利、且つ速やかに調整され、投影機から投影されるイメージは、精確に、同一スクリーン上にオーバーラップすることができる。
【図面の簡単な説明】
【００１０】
【図１】本発明の調整機能を有する投影装置の斜視図である。
【図２】本発明の調整機能を具備する投影装置の分解図である。
【図３】本発明の調整機能を具備する投影装置の底面図である。
【図４】本発明の回転ベースの断面図である。
【図５】投影機の調整装置の断面図である。
【図６】本発明の投影装置の底面図である。
【図７】本発明の投影機における反時計回り回転の概略図である。
【図８】本発明のラック装置と投影機の断面図である。
【図９】本発明のラック装置の部分分解図である。
【図１０】本発明の投影機の上面図である。
【図１１】本発明のラック装置の断面図である。
【発明を実施するための形態】
【００１１】
図１は、本発明の調整機能を有する投影装置１の斜視図である。本具体例中、複数の投影装置１と１ａは、互いにスタックされる。よって、投影装置１と１ａは、同一スクリーン(図示しない)上に、同一イメージを投影し、スクリーンの輝度を増加することができる。
【００１２】
投影装置１は、投影機２、調整装置３、及び、ラック装置４を含む。投影機２は、重量が約30KGの大型投影機である。投影機２は高輝度機能を有し、例えば、大型コンサートや映画館等に用いるのに適する。投影機２の側壁は、投影レンズ21を有する。投影レンズ21の方向は投影方向D1を向いており、よって、投影機２により生成される光線は、投影レンズ21を通り、投影方向D1に沿ってスクリーン上に投影される。
【００１３】
調整装置３は、投影機２の調整側22(図２で示される)上に設置される。図のように、調整側22は投影機２の下側である。別の具体例中、投影機２が天井から逆さ吊りにされる場合、調整側22は、投影機２の上側である。投影機２の水平回転角度は、調整装置３により調整されて、投影機２の投影方向D1を変化させる。
【００１４】
ラック装置４は、投影機２の側壁に設置される。別の投影装置（サブ投影装置）１ａのラック装置４ａは、ラック装置４の頂部に設置され、よって、投影装置１ａの投影機２ａが、投影機２の上方にスタックされる。ユーザーは、投影機２と投影機２ａ間の角度を調整することができる。即ち、投影機２ａの水平回転角度と傾斜角度は、ラック装置４により調整される。
【００１５】
図２と図３を参照すると、図２は、本発明の調整機能を有する投影装置１の分解図で、図３は、本発明の調整機能を有する投影装置１の底面図である。調整装置３は、投影機２の調整側22に設置される。調整装置３は、回転ベース31、移動機構32、固定機構33、調整部品34、及び、二個の保持部品35を含む。回転ベース31は、投影機２の底側に設置され、投影機２の後側23に隣接する。回転ベース31は投影機２に枢設される。
【００１６】
図４は、本発明の回転ベース31の断面図である。回転ベース31は回転軸AX1を有する。回転ベース31は、回転軸AX1の周りを回転する。回転ベース31は、接地部品311、高さ調整トレイ312、軸部品313、及び、座体314を含む。接地部品311は、可動で、軸部品313の一端に設置される。高さ調整トレイ312は、軸部品313に結合される。接地部品311は、高さ調整トレイ312に傾斜可能に設置され、接地面3111、凹弧面3112、及び、回転孔3113を含む。接地面3111と凹弧面3112は、それぞれ、接地部品311の相反する側に設置される。接地面3111は、地面P1に接触する。地面P1は、水平面か傾斜面である。凹弧面3112は、環状の凹表面である。回転孔3113は、凹弧面3112の中央領域に設置される。高さ調整トレイ312は円弧面3121を有する。円弧面3121は、凹弧面3112に対応して接触する。
【００１７】
軸部品313は、延伸方向D2に延伸する。延伸方向D2は、水平面にほぼ垂直である。軸部品313の一端は、円弧面3121と回転孔3113を通過する。回転孔3113の直径は、軸部品313の断面の幅より大きい。軸部品313の一端は、ブロック部分3131を有する。ブロック部分3131の幅は、回転孔3113の直径より大きく、接地面3111に隣接する。これにより、接地部品311が、軸部品313から外れるのを回避する。上述の構造のため、接地部品311が傾斜地面P1に設置される時、接地部品311の凹弧面3112は、円弧面3121に沿って滑動することができる。よって、接地面3111は地面P1と接触し、高さ調整トレイ312は地面P1に対し傾斜することができる。
【００１８】
軸部品313は、投影機２に設置される座体314に枢設して取り付けられる。接地部品311は軸部品313の一端に設置され、高さ調整トレイ312は、座体314と接地部品311間に位置する。よって、高さ調整トレイ312が回転する時、軸部品313は、座体314の内方或いは外方に回転し、接地部品311と投影機２間の距離を調節できる。更に、投影機２の傾斜角が調整できる。
【００１９】
図２と図３を参照する。移動機構32が投影機２に固定される。移動機構32は、移動部品321と定位部品322を含む。移動部品321は、調整方向D3に延伸する。移動部品321はストリップ構造である。好ましい具体例中、移動部品321の長さは、ほぼ、投影機２の幅の半分である。移動部品321は調整側22に設置され、通孔3211を有する。調整方向D3は水平面、投影機２の後側23と前側24にほぼ平行である。更に、調整方向D3は、投影方向D1にほぼ垂直である。本具体例中、移動部品321は、投影機２と直接接触しない。定位部品322は、スクリューかロック部品である。定位部品322は、移動部品321と投影機２に取り付けられる。
【００２０】
固定機構33は、二個の固定ベース331と固定部品332を含む。固定ベース331は地面P1に設置され、それぞれ、投影機２の前側24と二個の対向する横側25、26に隣接する。固定ベース331は、固定部品332上に固定される。固定ベース331の構造は、回転ベース31と同じである。固定ベース331と回転ベース31は、三角形の頂角を形成し、投影機２を支持する。
【００２１】
好ましい具体例中、固定部品332はストリップ構造であるが、同じ機能を有する別の形状でもよい。固定部品332の長さは、投影機２の幅にほぼ等しく、固定部品332は、調整方向D3に延伸する。固定部品332は、投影機２と移動部品321間にあって、投影機２の調整側22に設置される。固定部品332は、投影機２に直接接触しない。固定部品332の断面はＵ字型である。移動機構32は、固定部品332内部に設置され、調整方向D3に移動可能である。固定部品332は、二個の保持溝333を有する。保持溝333は固定ベース331に隣接する。保持溝333は、それぞれ、接線方向D4とD5に延伸する。接線方向D4又はD5は、円形路の接線方向にあり、前記回転ベース31の回転軸は、円形路の軸中心にある。保持部品35は、投影機２に取り付けられるスクリューである。保持部品35は、それぞれ、保持溝333を通過する。固定部品332は、保持部品35により、投影機２から隔離される。図３中、投影機２左側の固定ベース331と保持部品35は、通孔3211に受け入れられるか、通孔3211を通過する。
【００２２】
固定部品332は、更に、定位溝334を有する。定位溝334は、調整方向D3に延伸する。定位部品322は、定位溝334を通過して、投影機２と移動部品321に接続される。
【００２３】
調整部品34は、固定部品332と移動機構32に接続される。調整部品34は、回転ボタン341と調整棒342を含む。回転ボタン341は調整棒342の一端に設置され、固定部品332の一端に枢設される。調整棒342はねじ山を有し、移動部品321の一端に取り付けられる。ユーザーが調整部品34を調整して、移動機構32を固定部品332に対して移動させることで、投影機２を回転軸AX1の周りに回転させることが可能になる。別の具体例中、調整部品34は、モーター（図示しない）により駆動される歯車装置で、モーターの回転をスイッチ、又は、リモートコントローラーにより制御することで、移動機構32を調整部品34により移動することもできる。
【００２４】
固定機構33は、更に、指示部品335を含む。指示部品335は、固定部品332に設置され、移動部品321の一端に隣接する。指示部品335が移動部品321の特定位置、例えば、移動部品321の端部にある時、ユーザーは、投影機２の投影方向D1が、調整方向D3にほぼ垂直であることを確認することができる。移動部品321が固定部品332に対して移動する時、指示部品335も、特定位置に対して移動する。よって、ユーザーは、指示部品335を介して、固定部品332と移動部品321間の相対的な移動距離を観察できる。更に、目盛りを指示部品335に設けることもできる。ユーザーは目盛りを読み取り、移動部品32の特定位置に対応する度数に従って、投影機の水平回転角度を知ることができる。
【００２５】
図５と図６を参照する。図５は投影機２の調整装置３の断面図で、図６は本発明の投影装置１の底面図である。ユーザーが回転ボタン341を回転すると、調整棒342が回転する。更に、調整棒342が移動部品321に取り付けられるので、調整棒342は移動部品321を調整方向D3に移動するように動かす。同時に、重力および投影装置１と地面間の摩擦推力のため、固定機構33の固定ベース331と回転ベース31は移動しない。即ち、移動機構32が固定部品332に対して移動する時、固定ベース331と回転ベース31の相対位置が固定される。これにより、投影機２が、移動機構32により押され、回転ベース31の軸中心の周りを水平に回転し、投影機２の水平回転角度が調整される。更に、前側24に設置される投影レンズ21の投影方向D1は、投影方向D1aに移動する。
【００２６】
図６中、投影機２が時計回りに回転する時、定位部品322は、定位溝334の一端に移動し、保持部品35は保持溝333の一端に移動する。これにより、上述の構造は、投影機２が回転ベース31の軸中心の周りを水平に回転するのを、更に補助、及び、制限する。図７は、投影機２の反時計回りの回転を示す。ここで、投影機２は投影方向D1bに移動する。
【００２７】
結論として、この具体例の投影装置の水平回転角度と投影方向は、調整部品を調整することにより、容易、且つ、精確に調整できる。
【００２８】
図１と図２を参照する。ラック装置４は、複数の支持ラック41、第一運搬台座42、第二運搬台座43（図10を参照）、二個の第三運搬台座44、調整機構45を含む。
【００２９】
支持ラック41は、延伸方向D2に延伸する。第一運搬台座42、第二運搬台座43、及び、第三運搬台座44は、それぞれ、支持ラック41の上端に設置される。本具体例中、第一運搬台座42は、投影機２の横側25に設置され、前側24に隣接する。第二運搬台座43は、投影機２の横側25に設置され、後側23に隣接する。第三運搬台座44は、投影機２の横側26に設置され、それぞれ、前側24と後側23に隣接する。言い換えると、支持ラック41、第一運搬台座42、第二運搬台座43、及び、第三運搬台座44は、それぞれ、投影機２の側壁の四隅に設置される。
【００３０】
図８は、本発明のラック装置４と投影機２の断面図である。各支持ラック41は、支持柱411、二個の接続部品412、及び、台座413を含む。支持柱411は、延伸方向D2に延伸する中空の軸柱である。接続部品412は、それぞれ、支持柱411の両端に固定され、支持柱411と投影機２の側壁に接続される。よって、支持ラック41が投影機２に固定される。
【００３１】
台座413は、台座本体4131、調整スクリュー4134、及び、係合部品4137を含む。台座本体4131は、固定孔4132と係合溝4133を有する。調整スクリュー4134は、調整ナット4135とスクリュー本体4136を含む。調整ナット4135とスクリュー本体4136は、一部品で形成される。調整ナット4135は、可動で、支持柱411の内部にあって、スクリュー本体4136の一端に設置される。スクリュー本体4136は、接続部品412を通過し、接続部品412に取り付けられる。別の具体例中、スクリュー本体4136は、支持柱411の一端を通過し、支持柱411に取り付けられる。台座本体4131は、スクリュー本体4136のもう一端に設置される。係合部品4137は係合溝4133に収容され、固定孔4132により、スクリュー本体4136の別端に固定される。よって、台座本体4131は、スクリュー本体4136の一端に固定される。
【００３２】
上述の構造により、ユーザーが台座本体4131を回転させる時、調整スクリュー4134の調整ナット4135は、支持柱411の内部から外れない。ユーザーは、台座本体4131を回転させることにより、台座413と支持柱411間の距離を調整し、よって、投影機２の傾斜角度が調整される。
【００３３】
図９は、本発明のラック装置４の部分分解図である。調整機構45は第一支持ラック41上に設置され、第一運搬台座42に接続される。調整機構45は、調整本体451と調整部品452を含む。調整本体451は、接続部品412上に設置される。別の具体例中、調整本体451は、支持柱411の一端に設置される。調整本体451は収容孔4511を含む。調整部品452は、調整ボタン4521と調整スクリュー4522を含む。調整ボタン4521は、調整スクリュー4522の一端に設置される。調整スクリュー4522のもう一端が、調整本体451を通過し、収容孔4511に延伸する。
【００３４】
図８と図９で示されるように、第一運搬台座42は、台座受溝421、第一保持孔422、及び、ほぞ孔423を含む。台座受溝421は、第一保持孔422とほぞ孔423に通じる。台座受溝421は、第一運搬台座42の頂部に形成される。第一保持孔422は、台座受溝421に設置され、第一運搬台座42の底部に延伸する。第一保持孔422は延伸方向D2に延伸する。各支持ラック41は保持柱46を含む。保持柱46は、台座受溝421を介して第一保持孔422を通過し、接続部品412に固定される。保持柱46の断面積は、第一保持孔422の面積より大きい。別の具体例中、保持柱46は、支持柱411の一端に固定される。
【００３５】
第一運搬台座42は、可動で、調整本体451に設置される。第一運搬台座42の移動範囲は、第一保持孔422と保持柱46に制限される。第一運搬台座42の底部は、収容孔4511中に設置される。調整部品452の調整スクリュー4522の別端は、第一運搬台座42の側壁に接続される。上述の構造により、ユーザーが調整部品452を回転、調整することで、第一運搬台座42を調整スクリュー4522により、調整方向D3に沿って水平に移動することができる。別の具体例中、調整部品452は、モーター（図示しない）により駆動される歯車装置で、モーターの回転をスイッチ、又は、リモートコントローラーにより制御することで、第一運搬台座42を調整部品452により移動することもできる。
【００３６】
図１０を参照する。第二運搬台座43の第二保持孔431は円形である。第二保持孔431の大きさは、保持柱46の側壁に対応する。第二運搬台座43は、第二保持孔431の軸中心で、回転軸AX2を有する。回転軸AX2は延伸方向D2に平行である。よって、第二運搬台座43は、支持ラック41に対し枢設され、水平に回転することができる。しかし、第二運搬台座43は、支持ラック41に対し水平に移動できない。第三運搬台座44の第三保持孔441の形状は、円形か、又は、楕円形である。第三保持孔441の面積は、保持柱46の断面より大きい。これにより、第三運搬台座44は、支持ラック41に対し水平に移動し、回転することができる。更に、本具体例中、第二運搬台座43と第三運搬台座44の構造は、第一運搬台座42と同じである。
【００３７】
よって、図１で示されるように、投影装置１ａが投影装置１にスタックされる時、第一運搬台座42は、調整機構45を調整することにより、第一支持ラック41に対し、調整方向D3に移動することができる。これにより、投影装置１ａは第一運搬台座42により押され、第二運搬台座43の回転軸AX2を中心に回転する。ユーザーは、簡単、便利、且つ速やかに、投影装置１ａの投影方向D1を変化させることができる。
【００３８】
図１１を参照する。図１で示される別の投影装置１ａ（サブ投影装置）が投影装置１の上方に設置される時、投影装置１ａの支持ラック41ａ（サブ支持ラック）の台座（サブ台座）413ａ（台座413ａの構造は台座413と同じ）が、運搬台座42の台座受溝421に収容される。本具体例中、ラック装置４は、更に、ほぞ47を含む。投影装置１ａの台座413ａが、第一運搬台座42の台座受溝421中に設置される時、ほぞ47がほぞ孔423から台座受溝421を通過することにより、ほぞ47は台座413aの係合溝4133aに固定される。これにより、ユーザーは、簡単に、多くの投影機をスタックすることができ、台座413ａを回転させることにより、台座413ａと支持ラック41a間の距離を調整して、投影装置１ａを傾斜させることが可能になる。
【００３９】
同じ理由から、図１と図１１に従って、支持ラック41ａの別の台座413ａが、ラック装置４の別の運搬台座に設置されるが、ここでは詳細を省略する。
【００４０】
結論として、本発明の投影装置は、投影機が、ラック装置により互いにスタックされる。投影機の投影方向と水平回転角度は、支持ラック、運搬台座、及び、調整機構により調整される。ユーザーは、まず、下方の投影機を調整し、その後、調整機構を調整することにより、下方の投影機にスタックされた投影機を連続して調整することができる。これにより、投影機から投影されるイメージを、簡単、便利、且つ速やかに、同一スクリーン上に精確にオーバーラップできる。
【００４１】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００４２】
１  投影装置
１ａ  投影装置（サブ投影装置）
２、２ａ  投影機
21  投影レンズ
22  調整側
23  後側
24  前側
25、26  横側
３  調整装置
31  回転ベース
311  接地部品
3111  接地面
3112  凹弧面
3113  回転孔
312  高さ調整トレイ
3121  円弧面
313  軸部品
3131  ブロック部分
314  座体
32  移動機構
321  移動部品
3211  通孔
322  定位部品
33  固定機構
331  固定ベース
332  固定部品
333  保持溝
334  定位溝
335  指示部品
34  調整部品
341  回転ボタン
342  調整棒
35  保持部品
４、４ａ  ラック装置
41、41ａ  支持ラック
411  支持柱
412  接続部品
413、413ａ  台座
4131  台座本体
4132  固定孔
4133、4133ａ  係合溝
4134  調整スクリュー
4135  調整ナット
4136  スクリュー本体
4137  係合部品
42  第一運搬台座
421  台座受溝
422  第一保持孔
423  ほぞ孔
43  第二運搬台座
431  第二保持孔
44  第三運搬台座
441  第三保持孔
45  調整機構
451  調整本体
4511  収容孔
452  調整部品
4521  調整ボタン
4522  調整スクリュー
46  保持柱
47  ほぞ
AX1、AX2  回転軸
D1、D1a、D1b  投影方向
D2  延伸方向
D3  調整方向
D4、D5  接線方向
P1  地面
【図１】
0005614481.tif 000002
【図２】
0005614481.tif 000003
【図３】
0005614481.tif 000004
【図４】
0005614481.tif 000005
【図５】
0005614481.tif 000006
【図６】
0005614481.tif 000007
【図７】
0005614481.tif 000008
【図８】
0005614481.tif 000009
【図９】
0005614481.tif 000010
【図１０】
0005614481.tif 000011
【図１１】
0005614481.tif 000012